(57)【要約】【課題】操作性に優れたフィルムキャリアを提供することを目的とする。【解決手段】ハンドル２４４を手前に引くことによって着磁部２４８がマグネット２１４に突き当たるまでスライダ２０６を移動させる。この結果、スライダ２０６はマグネット２１４に吸着され、収納部材２２０Ａ、２２０Ｂの間にスライドＭが収納される。この場合、スライドＭが突き当たるまで挿入することによって所定位置に位置決めされる。この状態でハンドル２４４を押して着磁部２４８が端面２１２Ａに突き当たるまでスライダ２０６を反対方向に移動させる。この結果、着磁部２４６がマグネット２１６に吸着され、スライダ２０６（スライドＭ）が読取位置に精度良く位置決めされる。このように、スライダ２０６を手前に引き出してスライドＭを収納し、スライダ２０６を奥へいれるだけでスライドＭを読取位置に位置決め可能な構成としたため、操作性が良い。【選択図】　図１０
2004117549.tif 000002
【特許請求の範囲】
【請求項１】
画像読取装置にセットされ、画像記録媒体を読取位置に位置決めするフィルムキャリアであって、
前記画像記録媒体を収納する収納部材と、
前記画像記録媒体を前記収納部材に収納する収納位置と前記画像記録媒体の画像情報を読み取る読取位置との間で当該収納部材を変位させる変位手段と、
を備えることを特徴とするフィルムキャリア。
【請求項２】
前記収納部材を読取位置に位置決めしたとき、当該収納部材を読取位置に係止する第１係止手段を備えることを特徴とする請求項１記載のフィルムキャリア。
【請求項３】
前記収納部材を収納位置に位置決めしたとき、当該収納部材を収納位置に係止する第２係止手段を備えることを特徴とする請求項１または２記載のフィルムキャリア。
【発明の詳細な説明】
【０００１】
【発明の属する技術分野】
本発明は、画像読取装置にセットされた状態で、画像記録媒体を読取位置に位置決めして画像情報の読取に使用されるフィルムキャリアに関する。
【０００２】
【従来の技術】
写真フィルムに記録されたフィルム画像をＲ、Ｇ、Ｂの各色成分に分解して読取り、読み取られた画像データに対して補正等の画像処理を行った後、記録材料やディスプレイ上へ表示する写真処理装置が提案されている。
【０００３】
この写真処理装置では、フィルムキャリア上に写真フィルムを位置決めした後、光源からの読取光をフィルムキャリア上の写真フィルムに照射し、写真フィルムを透過した読取光が読取部のＣＣＤセンサに入射することによって、画像情報が読み取られる。
【０００４】
ところで、写真フィルムが位置決めされるフィルムキャリアと、ＣＣＤセンサが配設された読取部のケーシングの間には間隙があり、その間隙からＣＣＤセンサに外光が入射することがある。この場合には、画像色再現不良、Ｓ／Ｎ比の悪化、シェーディング状態変化等の画質劣化を生ずる。例えば、リバーサルフィルム原稿であれば、シャドー部の階調表現が悪化する。
【０００５】
そこで、このような外光による画質劣化を防止するために、フィルムキャリア本体に遮光部材をつけることが考えられる。例えば、フィルムキャリア本体に遮光部材を取り付け、フィルムキャリアと画像読取部のケーシングの間から外光がＣＣＤに入射しないように構成することが考えられる。
【０００６】
また、画像読取部のケーシングに遮光部材を取り付ける構成も考えられる。この場合には、フィルムキャリアを囲むように遮光部材をケーシングに取りつけるだけで、十分な遮光性が確保される。
【０００７】
【特許文献１】
特開平９−１６０１３７号公報
【特許文献２】
特開平９−１１４０１１号公報
【０００８】
【発明が解決しようとする課題】
しかしながら、フィルムキャリア本体に遮光部材を取り付けた場合にはケーシングとフィルムキャリアの間隙が小さくなるため、また、ケーシングに遮光部材を取り付けた場合には遮光部材が邪魔になるため、写真フィルムをマスクに対して着脱する操作性が悪化してしまう。特に、マウント（枠体）がついたスライドマウント（以下、単にスライドという）の場合には、オペレータが操作できるのがマウント部分のみなので、位置決めが非常に困難である。
【０００９】
なお、スライドを扱ったキャリアにおける画像読取時の操作性の向上を図ったものが従来から提案されている（例えば、特許文献１、２）。
【００１０】
本発明は上記事実を考慮し、スライドが画像読取される場合に、操作性が良好なフィルムキャリアを提供することを課題とする。
【００１１】
【課題を解決するための手段】
請求項１に記載の発明は、画像読取装置にセットされ、画像記録媒体を読取位置に位置決めするフィルムキャリアであって、前記画像記録媒体を収納する収納部材と、前記画像記録媒体を前記収納部材に収納する収納位置と前記画像記録媒体の画像情報を読み取る読取位置との間で当該収納部材を変位させる変位手段と、　を備えることを特徴とする。
【００１２】
請求項１記載の発明の作用について説明する。
【００１３】
オペレータは、変位手段によって収納部材を収納位置に移動させ、収納部材に画像記録媒体を収納する。この状態で変位手段を駆動して読取位置に移動させる。この結果、収納部材に保持された画像記録媒体が読取位置に精度良く位置決めされる。特に、読取位置において画像形成装置とキャリアの間隙が小さい場合に、取り扱いの難しい画像記録媒体、例えば、スライドを位置決めする際の操作性が向上する。
【００１４】
請求項２記載の発明は、請求項１記載の発明において、前記収納部材を読取位置に位置決めしたとき、当該収納部材を読取位置に係止する第１係止手段を備えることを特徴とする。
【００１５】
請求項２記載の発明の作用について説明する。
【００１６】
第１係止手段によって読取位置に位置決めされた収納部材が読取位置に係止されるため、振動等によって収納部材（画像記録媒体）が読取位置から位置ずれを生ずるおそれがなくなる。
【００１７】
請求項３記載の発明は、請求項１または２記載の発明において、前記収納部材を収納位置に位置決めしたとき、当該収納部材を収納位置に係止する第２係止手段を備えることを特徴とする。
【００１８】
請求項３記載の発明の作用について説明する。
【００１９】
第２係止手段によって収納位置に位置決めされた収納部材が係止される。したがって、収納部材に画像記録媒体を収納する際に収納部材が変位することがなく、操作性が良好になる。
【００２０】
【発明の実施の形態】
（フィルムキャリアが搭載される画像読取装置の概要）
図１および図２に示すように、画像読取装置１４は、パソコン１６、キーボード１２、及びディスプレイ１８が設けられた作業テーブル２２を備えている。
【００２１】
画像読取装置１４は、ネガフィルムやリバーサルフィルムの写真フィルムなどの写真感光材料（以下単に写真フィルムと称する）に記録されているフィルム画像を読み取るためのものである。ここでいう、「写真フィルム」とは、被写体を撮影後、現像処理され、ネガ画像又はポジ画像が可視化されたフィルムをいう。
【００２２】
パソコン１６は、画像読取装置１４から出力された画像データが入力されると共に、入力された画像データに対して補正等の画像処理を行って、記録用画像データとして、図示しないレーザプリンタ部へ出力する。
【００２３】
画像読取装置１４の光学系は、図２に示すように、作業テーブル２２の下方に配置された光源部３０、作業テーブル２２に支持された拡散ボックス４０、作業テーブル２２にセットされるフィルムキャリア３８、及び作業テーブル２２を挟んで光源部３０の反対側に配置された読取部６０を備えている。
【００２４】
光源部３０は金属製のケーシング６２内に収容されており、ケーシング６２の内部には、ハロゲンランプやメタルハライドランプ等から成るランプ３２が配置されている。ランプ３２の光の一部はリフレクタ６６によって反射され、一定の方向へ射出される。
【００２５】
一方、図２に示すように、リフレクタ６６の光射出側には、リフレクタ６６からの射出光の光軸Ｌに沿って、紫外域及び赤外域の波長の光をカットすることで写真フィルムの温度上昇を防止し読取精度を向上させるＵＶ／ＩＲカットフィルタ７０、ランプ３２からの光及びリフレクタ６６からの射出光の光量を調整する絞り７２、及び読取部６０に到達する光の色成分を、写真フィルムの種類（ネガフィルム／リバーサルフィルム）に応じて適切に設定するバランスフィルタ３６が設けられている。絞り７２は光軸Ｌを挟んで配置された一対の板材から成り、一対の板材が接近離間するようにスライドする。
【００２６】
バランスフィルタ３６から拡散ボックス４０に入射された光は、光拡散板によって拡散光とされてフィルムキャリア３８（すなわち写真フィルム）に向けて射出される。このように、拡散ボックス４０から射出される光が拡散光とされることにより、写真フィルムに照射される光の光量むらが低減され、フィルム画像に均一な光量の光が照射されると共に、フィルム画像に傷が付いていたとしても、この傷が目立ちにくくなる。
【００２７】
読取部６０のケーシング４４の内部には、上面にエリアＣＣＤ７４が取付けられた載置台７６が設けられており、載置台７６からは支持レール７８が複数本垂下されている。
【００２８】
支持レール７８には、縮小・拡大等の変倍のために作業テーブル２２と接近離間する方向Ａにスライド移動可能にレンズユニット５０が支持されている。作業テーブル２２には支持フレーム８０が立設されている。載置台７６は、支持フレーム８０に取り付けられたガイドレール４２に、上記変倍やオートフォーカス時に共役長を確保するために作業テーブル２２と接近離間する方向Ｂにスライド移動可能に支持されている。
【００２９】
レンズユニット５０は複数枚のレンズから成り、複数枚のレンズの間にはレンズ絞り８２が設けられている。この絞り８２により通過する光の光量が変化する構成である。
〔フィルムキャリアの構成〕
このように構成される画像読取装置１４に装着されるフィルムキャリア３８は、図３に示すように、基台１０２と、基台１０２に対して磁着されフィルムサイズに対応して交換されるマスクユニット１０４とから基本的に構成される。
【００３０】
マスクユニット１０４は、図４に示すように、スライドマウント（以下、スライドという）が位置決めされるマスク１０６と、マスク１０６に対して揺動自在に取り付けられるアッパーガイド１０８と、アッパーガイド１０８の姿勢を保持するマグネット部材１１０と、アッパーガイド１０８の上部に磁着される遮光部材１１４とから構成される。
【００３１】
マスク１０６は、図５に示すように、板体１１５と、その上部に螺着された一対のガイド部２０４Ａ、２０４Ｂと、ガイド部２０４Ａ、２０４Ｂに案内されて矢印Ｘ方向（以下、単にＸ方向という）にスライドするスライダ２０６とから基本的に構成されている。
【００３２】
板体１１５は、裏面に基台１０２に磁着させるためのマグネット１１６が４個配置されている。また、板体１１５の略中央には画像読取装置１４の光源部３０から照射された光を透過させるための孔部１１８が形成される。
【００３３】
ガイド部２０４Ａは、Ｘ方向に延在する幅狭の板材の上にそれよりも幅広の板材を積層することによりＸ方向に延在するガイド溝２０８が形成されたものである。一方、ガイド部２０４Ｂも略同様の構成であるが、Ｘ方向後端部（矢印Ｘ２方向端部）から矢印Ｙ１方向に延在する係止部２１０が形成されている。これは、スライダ２０６を当接させることによってＸ方向のスライド範囲を規制するものである。
【００３４】
また、ガイド部２０４Ｂの上面には、Ｘ方向に延在するガイド溝２１２が形成されており、スライダ２０６の後述する磁着部２４８が内部を移動して端面に突き当たることによって、スライダ２０６のスライド範囲を規定しているものである。
【００３５】
なお、ガイド溝２１２のＸ方向先端（矢印Ｘ１方向）および係止部２１０のＸ方向先端側面には、マグネット２１４、２１６が配設されており、スライド範囲の端部まできたスライダ２０６を吸着して位置決め精度の確保と操作感の向上を図っている。
【００３６】
スライダ２０６は、矩形状のプレート２１８と、プレート２１８の上部に螺着された一対の収納部材２２０Ａ、２２０Ｂと、収納部材２２０Ａ、２２０Ｂに取りつけられガイド部２０４Ａ、２０４Ｂを跨いで外側に延びるハンドル部材２２２Ａ、２２２Ｂとから構成される。
【００３７】
プレート２１８は矩形体形状であり、Ｘ方向先端部から後端部に向けてガイド部２０４Ａ、２０４Ｂの間に進入することによって、Ｙ方向両端部がガイド溝２０８に挿入される構成である。すなわち、ガイド溝２０８に案内されて板体１１５上をＸ方向にスライドする構成である。また、プレート２１８の略中央部には、孔部１１８と略同一の孔部２２４が形成されている。
【００３８】
プレート２１８において、孔部２２４を挟んでＹ方向両側に配設される収納部材２２０Ａ、２２０Ｂが配設されている。この収納部材２２０Ａは、Ｘ方向先端から孔部２１４側に張り出していくテーパ面からなるガイド部２２６と、ガイド部２２６に連続して孔部側に張り出した上面側の収納部２２８と、収納部２２８のＸ方向後端部で一段下がってＸ方向後端側に張り出した舌片２３０とを備える。
【００３９】
この収納部材２２０Ａの収納部２２８とプレート２１８の間に収納溝２３２が形成され、スライドＭが収納されるものである。収納溝２３２の内部には、スライドＭをプレート側に押圧する板バネ２３４と、収納部材２２０Ｂ側に押圧する板バネ２３６が配設されている。
【００４０】
一方、収納部材２２０Ｂも同様の構成であるが、ガイド溝２３２に配設されているのが板バネ２３４のみである点だけが異なる。
【００４１】
したがって、収納部材２２０Ａ、２２０Ｂの間に進入するスライドＭは、ガイド部２２６によって収納溝２３２に案内され、板バネ２３６で基準面である収納部材２２０Ｂの収納溝２３２に突き当てられてＹ方向の位置決めがされると共に、板バネ２３４でプレート側に押圧されて光軸方向（Ｚ方向）の位置決めがされる。さらに、舌片２３０のＸ方向先端側面２３０ＡにスライドＭが突き当たることにより、スライドＭのＸ方向の位置決めがされる構成である。
【００４２】
収納部材２２０Ａの舌片２３０の上部に配設されるハンドル部材２２２Ａは、ガイド部２０４Ａを跨いで外側までＹ方向に延在する基部２３８と、基部２３８の外方向（孔部２２４から離間する方向）端部からＸ方向先端側に延在する操作部２４０と、操作部２４０の下部に配設されガイド部２０４Ａの外側側面に当接される矩形状の当接部２４２とから構成される。
【００４３】
操作部２４０のＸ方向先端にはＹ方向外側にハンドル２４４が突出形成されている。
【００４４】
ハンドル部２２２Ｂも同様の構成であるが、基部２３８のＸ方向後端面にスライダ２０６が読取位置にあるときマグネット２１６に吸着れる金属製の磁着部２４６が突出形成されている。また、基部２３８のＸ方向先端部の略中央にはスライダ２０６が収納位置にあるときマグネット２１４に吸着される金属製の磁着部２４８が下方に突出形成され、ガイド溝２１２内に配設されている。
【００４５】
一方、板体１１５のＸ方向後端部には切欠１２２が形成されており、切欠１２２に沿って軸受部材１２４が板体１１５に螺着されている。軸受部材１２４には、アッパーガイド１０８の回転軸となる軸体１４０が挿通される孔部を有する一対の軸受１２６が立設されている。また、軸受部材１２４と板体１１５が積層されることによって切欠部１２２に沿ってガイド溝１２８が形成されている。
【００４６】
一方、この切欠１２２に装着されるマグネット部材１１０のＹ方向両側面にはＸ方向に延在する凸部１３０が形成されている。したがって、この凸部１３０をガイド溝１２８に進入させてマグネット部材１１０を切欠１２２に挿入することにより、マグネット部材１１０がマスク１０６（板体１１５）に装着されている。
【００４７】
また、マグネット部材１１０の上面には、アッパーガイド１０８の開放姿勢を保持するためのマグネット１３２が配置されている。
【００４８】
一方、マスク１０６の上部に配置されるアッパーガイド１０８は、略星型形状に形成された板体１３４を備え、板体１３４のＸ方向先端部にはアッパーガイド１０８の操作時に使用する一対の舌片１３５が形成されている。また、板体１３４のＸ方向後端の凸部１３６には、軸体１４０が挿通される孔部を有する一対の軸受１３８が形成されている。この軸受１３８とマスク１０６の軸受１２６に軸体１４０を挿通することによって、アッパーガイド１０８は軸体１４０を中心としてマスク１０６に対して開閉（揺動）自在とされている。
【００４９】
また、凸部１３６のＸ方向後端側には、マグネット部材１１０のマグネット１３２に磁着する舌片１３６Ａが突出形成されている。
【００５０】
さらに、板体１３４の略中心にはスライドの画像を透過した読取光が通過する孔部１４２が形成されている。
【００５１】
さらに、アッパーガイド１０８の上部に配設される遮光部材１１４は、図６に示すように、下部材１６０と、上部材１６２と、下部材１６０と上部材１６２に上下端を固着された蛇腹状の遮光カーテン１６４とから基本的に構成される。
【００５２】
下部材１６０には孔部１６６が形成されると共に、孔部１６６のＹ方向両側に一対のピボット１６８が立設され、Ｘ方向後端に一対の矩形体形状の規制部材１７０が立設されている。
【００５３】
一方、上部材１６２には、下部材１６０の孔部１６６に対応する孔部１７２が形成されると共に、孔部１７２のＹ方向両側にピボット１６８を受ける半球状の凹部が形成されている軸受１７４と、Ｘ方向後端に規制部材１７０が進入する凹部１７６が形成された受け部材１７８を備える。凹部１７６は、規制部材１７０よりも若干大きく形成されている。また、ピボット１６８が軸受１７４を介して上部材１６２を支持することによって、下部材１６０に対して上部材１６２が揺動自在とされる。また、規制部材１７０が受け部材１７８の凹部１７６に進入することによって、揺動時の上部材１６２の挙動に規制を加え、上部材１６２が下部材１６０に対して捩じれて遮光カーテン１７０が破断することを回避するものである。
【００５４】
さらに、上部材１６２の上面には、一対の磁着部材１８０（図４参照）が設けられており、画像読取部６０のケーシング４４の下面４４Ａに設けられたマグネット２００（図６参照）と磁着して遮光部材１１４（上部材１６２）をケーシング４４に吸着させるものである。
【００５５】
さらにまた、上部材１６２のＸ方向先端には、一対の舌片１８２が設けられている。
【００５６】
一方、遮光カーテン１６４は、一端が下部材１６０と周回する枠部材１８４の間に挟まれて固着されており、他端が上部材１６２と周回する枠部材１８６に挟まれて固着されている。すなわち、下部材１６０と上部材１６２は、遮光カーテン１６４を介して接続されている。また、下部材１６０と上部材１６２の間は枠体１８４、１８６に沿って周回する遮光カーテン１６４によって完全に外部から遮光されており、上部材１６２の変位（揺動等）に対応して蛇腹状の遮光カーテン１６４が伸縮自在とされている。
【００５７】
なお、このように構成される遮光部材１１４は、下部材１６０の下面に取り付けられた両面テープでアッパーガイド１０８の上面に接着されている。
【００５８】
このように構成されたフィルムキャリア３８の作用について説明する。
【００５９】
フィルムキャリア３８は、作業テーブル２２上でスライドされて読取部６０のケーシング４４の下部にセットされる（図２参照）。この状態では、フィルムキャリア３８の基台１０２上に載置されたマスクユニット１０４を図７に示す（基台１０２の図示省略）。すなわち、アッパーガイド１０８は水平状態とされている。また、遮光部材１１４は、上部材１６２が下部材１６０のピボット１６８で軸支されている状態とされている。さらに、マスク１０６では、スライダ２０６がＸ方向後端側に位置している（図７、８参照）。
【００６０】
ここで、このマスクユニット１０４にスライドマウント（以下、単にスライドという）Ｍをセットする場合には、次のように作業を行なう。すなわち、オペレータはハンドル２４４をＸ方向先端側に引くことによって、スライダ２０６（プレート２１８）がガイド溝２０８、２１２に案内されてＸ方向先端側に移動する。ここで、スライダ２０６の着磁部２４８がガイド溝２１２のマグネット２１４に突き当たるまでスライダ２０６を移動させる。この結果、スライダ２０６が板体１１５のＸ方向先端側に最大限突出した状態とされる（図９、図１０参照）。以下、このスライダ２０６の位置を収納位置という。なお、着磁部２４８がマグネット２１４に突き当てられることによって、着磁部２４８がマグネット２１４に吸着される。
【００６１】
この状態で、スライドＭをスライダ２０６の収納部材２２０Ａ、２２０Ｂの間に進入させる。スライドＭは、収納部材２２０Ａ、２２０Ｂの案内部２２６によってマウント部分が案内溝２３２に案内される。案内溝２３２に案内されたスライドＭは、板バネ２３６によって収納部材２２０Ｂ側に寄せられてＹ方向の位置決めがされると共に、板バネ２３４によってプレート２０６に押しつけられてＺ方向（光軸方向）の位置決めがされる（図９参照）。ここで、スライドＭが舌片２３０のＸ方向先端面に突き当てるまで進入させることにより、スライドＭが孔部２２４上に位置決めされる。具体的には、スライドＭの画像部分が孔部２２４上に精度良く配置される。この際、スライダ２０６（着磁部材２４８）がマグネット２１４で吸着されているため、収納部材２２０Ａ、２２０Ｂ間にスライドＭを位置決め操作をしている間にスライダ２０６がガタつくことはなく、操作性に優れる。
【００６２】
このようにスライダ２０６上にスライドＭを精度良く位置決めしたら、続いてハンドル２４４をＸ方向後端側に押す。これによって、着磁部２４８がマグネット２１４から離間しガイド溝２１２のＸ方向後端面２１２Ａに突き当たるまで、スライダ２０６をＸ方向後端部側に移動させる。この結果、スライダ２０６の移動が停止すると、スライダ２０６の孔部２２４（スライドＭ）が板体１１５の孔部１１８の上に位置する（以下、この位置を読取位置という）（図１１、図８参照）。また、スライダ２０６がこの読取位置で停止することにより、着磁部２４８がマグネット２１６に吸着され、スライダ２０６が係止される。すなわち、多少の振動等がスライダ２０６に付与されたとしても、スライダ２０６が読取位置からずれることはない。
【００６３】
このようにしてスライドＭをフィルムキャリア３８の読取位置にセットした後、オペレータは、アッパーガイド１０８の舌片１３５を掴んで持ち上げることにより、アッパーガイド１０８はマスク１０６の軸受け１２６に支持された軸体１４０を中心として図１１上、時計回りに回転する。この結果、第２遮光部材１１４の上部材１６２とケーシング４４の下面４４Ａが接近する（図１２参照）。
【００６４】
なお、この回転によってアッパーガイド１０８のＸ方向後端の舌片１３６Ａがマグネット部材１１０のマグネット１３２と当接して吸着される。この結果、アッパーガイド１０８の回転量が規制されると共に、その開放姿勢が保持される。
【００６５】
一方、上記回転によってケーシング４４の下面４４Ａに接近した遮光部材１１４の磁着部材１８０がケーシング４４のマグネット２００．に吸着される（図１３参照）。すなわち、上部材１６２がケーシング４４の下面４４Ａに吸着された状態となる。この結果、上部材１６２の軸受１７４が下部材１６０のピボット１６８から離間して浮いた状態となる。
【００６６】
この際、下部材１６０の規制部材１７０が受け部材１７８の凹部１７６内に進入しているため、磁着する際に上部材１６２に対して捩じり力が作用しても下部材１６０に対する捩じり運動が規制され、上部材１６２の下部材１６０に対する捩じり運動によって遮光カバー１６４が破断することを回避できる。
【００６７】
続いて、オペレータはアッパーガイド１０８の舌片１３５を押し下げる。この結果、アッパーガイド１０８のＸ方向後端の舌片１３６Ａが磁力に抗してマグネット１３２から離間し、アッパーガイド１０８は軸体１４０を中心にして反時計回りに回転する。この結果、アッパーガイド１０８が水平状態に復帰する（図１３参照）。
【００６８】
この状態で、画像読取装置１４の光源部３０から読取光が照射されることにより、読取光はマスク１０６の孔部１１８、アッパーガイド１０８の孔部１４２を通過し、遮光部材１１４の孔部１６６から進入して遮光カーテン１６４の内側を通過して孔部１７２を介してケーシング４４の内部に出射し、ＣＣＤ７４に入射する。
【００６９】
したがって、フィルムキャリア３８（スライドＭ）から読取部６０のケーシング４４の内部まで読取光が通過する光路が、外部から完全に遮光され、良好な画像読取が実現する。
【００７０】
このように、スライドＭをスライダ２０６を用いて簡単かつ精度良く画像読取位置に位置決めすることができる。本実施形態は、収納位置に引き出されたスライダ２０６にスライドＭを挿入し、スライダ２０６を移動させるだけでスライドＭを精度良く読取位置に位置決め可能としたため、特に、接触できるのがマウント部分のみスライドＭでも位置決めの操作性が良好になる。
【００７１】
また、スライダ２０６を収納位置あるいは読取位置にした場合には、マグネット２１４、２１６が着磁部２４８、２４６を吸着してスライダ２０６をロックする構成としたため、収納位置においてはスライダ２０６にスライドＭを挿入する操作が容易になると共に、読取位置においては位置決めが容易になると共に振動等によって位置ずれを生ずることもない。また、両位置においてマグネットによって吸着されるため、ハンドル２４４で操作するオペレータも所定位置になったことを確認しやすく、操作性が向上した。
【００７２】
さらに、ハンドル２４４を操作してスライダ２０６を手前に引き出してスライドＭを保持させ、ハンドル２４４で押しこむことによって簡単に読取位置に位置決めできるため、マスク１０６の上部に遮光部材１１４を設けも容易にスライドＭのセッティングを行なうことができる。
【００７３】
また、スライドＭを交換するために、スライダを読取位置と収納位置の間で移動させても遮光状態が維持されるため、操作性に優れる。
【００７４】
なお、この遮光状態時に遮光部材１１４の下部材１６０と上部材１６２が完全に離間しており（図１４参照）、蛇腹状の遮光カーテン１６４のみで接続されているため、読取部６０の振動が上部材１６２から下部材１６０に伝達されることはなく、読取精度が向上する。
【００７５】
なお、遮光状態を解除する場合には、遮光部材１１４の舌片１８２を押し下げて上部材１６２とケーシング４４との磁着状態を解除することによって遮光状態を解除しても良いし、フィルムキャリア３８をセット位置から離脱させる（作業テーブル２２上を手前にスライドさせる）ことによって上記磁着状態を解除して遮光状態を解除しても良い。
【００７６】
【発明の効果】
本発明のフィルムキャリアは、スライドマウントを読取位置に位置決めする際の操作性に優れる。
【図面の簡単な説明】
【図１】本発明の一実施形態に係るフィルムキャリアが取付けられる画像読取装置の外観図である。
【図２】本発明の一実施形態に係るフィルムキャリアが取付けられる画像読取装置の光学系の側面断面図である。
【図３】本発明の一実施形態に係るフィルムキャリアの斜視図である。
【図４】本発明の一実施形態に係るマスクユニットの分解斜視図である。
【図５】本発明の一実施形態に係るマスクの斜視図である。
【図６】本発明の一実施形態に係る遮光部材の分解斜視図である。
【図７】本発明の一実施形態に係るマスクユニットの動作状態説明側面図である。
【図８】本発明の一実施形態に係るマスクユニットの動作状態説明平面図である。
【図９】本発明の一実施形態に係るマスクユニットの動作状態説明側面図である。
【図１０】本発明の一実施形態に係るマスクユニットの動作状態説明平面図である。
【図１１】本発明の一実施形態に係るマスクユニットの動作状態説明側面図である。
【図１２】本発明の一実施形態に係るマスクユニットの動作状態説明側面図である。
【図１３】本発明の一実施形態に係るマスクユニットの動作状態説明側面図である。
【図１４】本発明の一実施形態に係るマスクユニットの動作状態説明側面図である。
【符号の説明】
３８…フィルムキャリア
１０６…マスク
１１４…遮光部材
【図１】
2004117549.tif 000003
【図２】
2004117549.tif 000004
【図３】
2004117549.tif 000005
【図４】
2004117549.tif 000006
【図５】
2004117549.tif 000007
【図６】
2004117549.tif 000008
【図７】
2004117549.tif 000009
【図８】
2004117549.tif 000010
【図９】
2004117549.tif 000011
【図１０】
2004117549.tif 000012
【図１１】
2004117549.tif 000013
【図１２】
2004117549.tif 000014
【図１３】
2004117549.tif 000015
【図１４】
2004117549.tif 000016